(57)【要約】【課題】不正な行為に起因しない振動の検出を抑制することができる遊技機を提供する。【解決手段】遊技領域を有する遊技機本体１と、遊技機本体１に付与された振動を検出する振動検出手段１２とを具備した遊技機において、遊技内容に応じて遊技者が操作可能な演出ボタン７を具備するとともに、例えば演出ボタン７の有効時間、またはその有効時間の所定時間前から所定時間経過後に亘り、振動検出手段１２を無効状態とすることにより、遊技内容に基づいて振動検出手段１２を有効状態又は無効状態に切り替える切換手段１７を具備したものである。【選択図】図４
2007152038.tif 000002
【特許請求の範囲】
【請求項１】
遊技領域を有する遊技機本体と、
前記遊技機本体に付与された振動を検出する振動検出手段と、
を具備した遊技機において、
遊技内容に基づいて前記振動検出手段を有効状態又は無効状態に切り替える切換手段を具備したことを特徴とする遊技機。
【請求項２】
遊技内容に応じて遊技者が操作可能な操作手段を具備するとともに、前記切替手段は、当該操作手段の有効時間、またはその有効時間の所定時間前から所定時間経過後に亘り、前記振動検出手段を無効状態とすることを特徴とする請求項１記載の遊技機。
【請求項３】
遊技内容に応じて遊技者が操作可能な操作手段を具備するとともに、当該操作手段が操作されたことを条件として、前記切替手段が前記振動検出手段を無効状態とすることを特徴とする請求項１記載の遊技機。
【請求項４】
前記遊技領域に遊技球が入賞し得る始動入賞口又は大入賞口を具備するとともに、遊技球が当該始動入賞口又は大入賞口に入賞することを条件として、大当たり状態を発生させ得る特定入賞口を通過するまで又は所定時間経過するまでの間に限り、前記切替手段が前記振動検出手段を有効状態とすることを特徴とする請求項１〜請求項３の何れか１つに記載の遊技機。
【請求項５】
前記振動検出手段による検出に基づき所定の報知を行う報知手段と、
前記遊技機本体前の遊技者の有無を検知する遊技者検知手段と、
を具備するとともに、前記振動検出手段が有効状態であり、且つ、当該遊技者検知手段による遊技者の検知がある場合に限り、前記報知手段による報知がなされることを特徴とする請求項１〜請求項４の何れか１つに記載の遊技機。
【発明の詳細な説明】
【技術分野】
【０００１】
本発明は、遊技機本体に付与された振動を検出する振動検出手段を具備した遊技機に関するものである。
【背景技術】
【０００２】
パチンコ遊技機においては、例えば遊技機本体を叩いたり揺すったりして遊技球の軌跡を変化させる所謂ドツキと称される不正な行為を検出すべく、従来より、外部から付与される衝撃に基づく振動を検出可能な振動検出手段を具備したものが提案されている（例えば、特許文献１参照）。そして、かかる振動検出手段が振動を検出すると、遊技球検出手段の検出結果を無効（有効なものでなくする）とするよう構成されていた。
【特許文献１】特開２００２−９０１号公報
【発明の開示】
【発明が解決しようとする課題】
【０００３】
しかしながら、上記従来の遊技機においては、不正行為による振動に加え、遊技に影響を及ぼさない僅かな振動でも検出してしまう虞があるため、例えば振動を検出したことを報知させるように構成した場合、誤報知が頻繁に行われてしまうという問題がある。特に、遊技内容に応じて遊技者が操作可能な操作ボタン等を具備したパチンコ遊技機の場合、その操作ボタンの操作時に振動が付与されることが多いため、これを振動検出手段が検出してしまうという問題があった。
【０００４】
本発明は、このような事情に鑑みてなされたもので、不正な行為に起因しない振動の検出を抑制することができる遊技機を提供することにある。
【課題を解決するための手段】
【０００５】
請求項１記載の発明は、遊技領域を有する遊技機本体と、前記遊技機本体に付与された振動を検出する振動検出手段とを具備した遊技機において、遊技内容に基づいて前記振動検出手段を有効状態又は無効状態に切り替える切替手段を具備したことを特徴とする。
【０００６】
請求項２記載の発明は、請求項１記載の遊技機において、遊技内容に応じて遊技者が操作可能な操作手段を具備するとともに、前記切替手段は、当該操作手段の有効時間、またはその有効時間の所定時間前から所定時間経過後に亘り、前記振動検出手段を無効状態とすることを特徴とする。
【０００７】
請求項３記載の発明は、請求項１記載の遊技機において、遊技内容に応じて遊技者が操作可能な操作手段を具備するとともに、当該操作手段が操作されたことを条件として、前記切替手段が前記振動検出手段を無効状態とすることを特徴とする。
【０００８】
請求項４記載の発明は、請求項１〜請求項３の何れか１つに記載の遊技機において、前記遊技領域に遊技球が入賞し得る始動入賞口又は大入賞口を具備するとともに、遊技球が当該始動入賞口又は大入賞口に入賞することを条件として、大当たり状態を発生させ得る特定入賞口を通過するまで又は所定時間経過するまでの間に限り、前記切替手段が前記振動検出手段を有効状態とすることを特徴とする。
【０００９】
請求項５記載の発明は、請求項１〜請求項４の何れか１つに記載の遊技機において、前記振動検出手段による検出に基づき所定の報知を行う報知手段と、前記遊技機本体前の遊技者の有無を検知する遊技者検知手段とを具備するとともに、前記振動検出手段が有効状態であり、且つ、当該遊技者検知手段による遊技者の検知がある場合に限り、前記報知手段による報知がなされることを特徴とする。
【発明の効果】
【００１０】
請求項１の発明によれば、遊技内容に基づいて振動検出手段を有効状態又は無効状態に切り替えることができるので、例えば不正行為がなされ易い時間のみ有効状態、或いは不正行為がなされ難い時間のみ無効状態とすることができ、不正な行為に起因しない振動の検出を抑制することができる。
【００１１】
請求項２の発明によれば、操作手段の有効時間、またはその有効時間の所定時間前から所定時間経過後に亘り、振動検出手段を無効状態とするので、振動検出手段が操作手段の操作に起因する振動を検出してしまうのを回避でき、不正な行為に起因しない振動の検出をより抑制することができる。
【００１２】
請求項３の発明によれば、操作手段が操作されたことを条件として振動検出手段を無効状態とするので、操作手段の有効時間に関わらず、振動検出手段が操作手段の操作に起因する振動を検出してしまうのを回避でき、不正な行為に起因しない振動の検出を更に抑制することができる。
【００１３】
請求項４の発明によれば、遊技球が始動入賞口又は大入賞口に入賞することを条件として、大当たり状態を発生させ得る特定入賞口を通過するまで又は所定時間経過するまでの間に限り、振動検出手段を有効状態とするので、遊技機本体に対して外部から振動を付与して遊技球の軌跡を変化させ、特定入賞口に導くといった不正行為をより確実に検出することができる。
【００１４】
請求項５の発明によれば、振動検出手段が有効状態であり、且つ、遊技者検知手段による遊技者の検知がある場合に限り、報知手段による報知がなされるので、遊技機本体前に遊技者がおらず不正行為による振動が付与されないことが明らかな状態においては報知手段による報知が防止されることとなり、誤報知を更に確実に回避することができる。
【発明を実施するための最良の形態】
【００１５】
以下、本発明の実施形態について図面を参照しながら具体的に説明する。
第１の実施形態に係るパチンコ遊技機は、第１種と称されるパチンコ遊技機に適用されたもので、図１〜図４に示すように、遊技機本体１と、前枠３と、操作手段としての演出ボタン７と、振動検出手段１２と、報知手段としての振動報知ランプ１５、スピーカ１１及び表示手段８と、遊技者検知手段１６と、切替手段１７とから主に構成されている。
【００１６】
遊技機本体１には、遊技領域を形成する遊技盤２が正面側に配設されるとともに、背面側には図４に示す如き主基板１３及びサブ基板１４などが配設されている。主基板１３は、パチンコ遊技機全般に亘る遊技内容を制御するためのものであり、サブ基板１４と電気的に接続されている。サブ基板１４は、パチンコ遊技機が具備するランプ（振動報知ランプ１５含む）や表示手段８或いはスピーカ１１等と電気的に接続され、これらを制御するためのものである。
【００１７】
また、遊技盤２の遊技領域には、例えば液晶表示装置等から成る表示手段８（図柄表示手段）が形成されており、その画面に所定の図柄や背景等を表示し得るようになっている。更に、当該遊技領域には、始動口９及び大入賞口１０が形成されており、当該始動口９に遊技球が入賞したときに、表示手段８の図柄を可変表示させ、特定の図柄が停止表示されることにより「大当たり」状態として大入賞口１０を所定時間及びタイミングで開口させ、多数の遊技球を獲得できるよう構成されている。
【００１８】
前枠３は、遊技機本体１の遊技領域前面を覆うとともに開閉可能に配設されたものであり、当該遊技領域を視認させ得るガラス板４、遊技者が把持しつつ回動操作することにより遊技球を発射させ得るハンドル５、賞球などを受け得る上皿６ａ及び下皿６ｂ、スピーカ１１などが形成されている。また、下皿６ａには、操作手段としての演出ボタン７が配設されている。
【００１９】
かかる演出ボタン７は、遊技内容に応じて遊技者が押圧操作可能とされたもので、例えば当該操作ボタン７による遊技者の操作に応じて表示手段８にて表示される複数の演出パターンのうち何れかを選択表示させ得るよう構成されている。また、演出ボタン７は、遊技内容に応じてその操作が有効状態又は無効状態とされ、無効状態においては操作しても何らの制御が行われないようになっている。
【００２０】
振動検出手段１２は、遊技機本体１に付与された振動を検出するためのもので、例えば圧電素子及び金属板等を内部に有して衝撃を電気信号に変換して検知する衝撃センサ等から成るとともに、図３に示すように、遊技盤２の背面側における所定部位に固定されている。尚、振動検出手段１２は、遊技機本体１に付与された振動を検出し得れば足り、その形態や配設部位などは何れであってもよい。
【００２１】
報知手段は、振動検出手段１２による検出に基づき所定の報知を行うものであり、本実施形態においては、例えば振動報知ランプ１５、スピーカ１１及び表示手段８から構成されている。振動報知ランプ１５は、前枠３の正面側に形成されたもので、振動が検出されたことに基づき点灯又は点滅して遊技者に注意を促し或いは周囲の店員等に報知し得るものである。
【００２２】
他の報知手段としてのスピーカ１１及び表示手段８は、振動が検出されたことに基づき例えば音声や効果音などを発生、或いは警告等を表示させ得るものである。これらスピーカ１１及び表示手段８は、遊技内容に応じて所定の効果音等を発するスピーカ、或いは遊技内容に応じて図柄を変動表示またはキャラクタの表示を行わせる表示手段と兼用させるのが好ましい。尚、報知手段は、振動報知ランプ１５、スピーカ１１及び表示手段８の何れか１つ或いは任意２つ以上の組み合わせであってもよく、これらに代えて振動の検出に基づき他の報知（例えば管理室への通報など）を行わせるものとしてもよい。
【００２３】
遊技者検知手段１６は、遊技機本体１前の遊技者の有無を検知するためのものであり、例えば遊技機本体１から赤外線を照射し得る赤外線センサにて直接遊技者の有無を検知するもの、或いはハンドル５に形成された接触センサに人が触れているか否かを検知することにより間接的に遊技者の有無を検知するもの等から成る。尚、当該接触センサは、ハンドル５に形成されて当該ハンドル５を把持しているか否かを検知し得る現在のパチンコ遊技機において汎用的に配設されたものであり、遊技者の把持を検知しなければ遊技球が発射されないよう構成されている。
【００２４】
上記した演出ボタン７、振動検出手段１２、振動報知ランプ１５、スピーカ１１、表示手段８及び遊技者検知手段１６は、何れもサブ基板１４と電気的に接続されているとともに、当該サブ基板１４には、切替手段１７が設けられている。かかる切替手段１７は、遊技内容に基づいて振動検出手段１２を有効状態又は無効状態に切り替えるもので、振動検出手段８が無効状態とされると、遊技機本体１に対して振動が付与されても、その振動を検出しない状態（例えば非通電状態）とされるとともに、有効状態とされると、当該振動を検出し得る状態（例えば通電状態）とされる。
【００２５】
具体的には、通常の遊技状態においては、振動検出手段１２が有効状態となっている一方、演出ボタン７の有効時間（演出ボタン７による操作が可能となる時間帯）、またはその有効時間の所定時間前から所定時間経過後に亘り、切替手段１７にて振動検出手段１２を無効状態に切り替えるよう構成されている。これにより、振動検出手段１２が演出ボタン７の操作に起因する振動を検出してしまうのを回避でき、不正な行為に起因しない振動の検出をより抑制することができる。尚、演出ボタン７の有効時間のみ振動検出手段１２を無効状態とすれば、制御を簡素化することができる。
【００２６】
また、演出ボタン７の有効状態又は無効状態に拘わらず、演出ボタン７が押圧操作されたことを条件として、切替手段１７が振動検出手段１２を無効状態とするよう構成してもよい。この場合、演出ボタン７の有効時間に関わらず、振動検出手段１２が演出ボタン７の操作に起因する振動を検出してしまうのを回避でき、不正な行為に起因しない振動の検出を更に抑制することができる。
【００２７】
更に、振動検出手段１２が有効状態であり、且つ、遊技者検知手段１６による遊技者の検知がある場合に限り、報知手段による報知がなされるよう構成してもよい。これにより、遊技機本体１前に遊技者がおらず不正行為による振動が付与されないことが明らかな状態においては報知手段による報知が防止されることとなり、誤報知を更に確実に回避することができる。
【００２８】
次に、上記実施形態に係るパチンコ遊技機における振動検出のための制御内容について、図５〜図８のフローチャートに基づいて説明する。
まず、演出ボタン７の有効時間のみ振動検出手段１２を無効状態とする場合の制御について図５のフローチャートを用いて説明する。表示手段８にて演出画像が表示された後（Ｓ１）、演出ボタン７の操作が可能であることが表示されると（Ｓ２）、当該演出ボタン７が有効状態とされるとともに切替手段１７にて振動検出手段１２が無効状態に切り替えられる（Ｓ３）。
【００２９】
そして、演出ボタン７による操作の有効状態が維持されているか否かを判別し（Ｓ４）、維持されていない（即ち、無効状態とされた）場合は、Ｓ５へ進み、切替手段１７にて振動検出手段１２が有効状態に切り替えられる。その後、振動検出手段１２がオン（振動検出手段１２が振動を検出した状態）であるか否かを判定し（Ｓ６）、オンである場合は、振動による不正行為があるとみなして報知手段による報知が行われる（Ｓ７）。上記一連の制御により、演出ボタン７の有効時間のみ振動検出手段１２を無効状態とすることができる。
【００３０】
続いて、演出ボタン７の有効時間の開始前所定時間から終了後所定時間に亘り、切替手段１７にて振動検出手段１２を無効状態に切り替える場合の制御について図６のフローチャートを用いて説明する。表示手段８にて演出画像が表示された後（Ｓ１）、演出ボタン７の有効状態の開始前所定時間となったか否かが判定され（Ｓ２）、有効状態開始まで所定時間でないと判定されると、Ｓ８へ進むこととなる。
【００３１】
一方、Ｓ２において演出ボタン７の有効状態開始まで所定時間であると判定されると、振動検出手段１２が無効状態となる（Ｓ３）。その後、演出ボタン７の有効時間になると、演出ボタン７の操作が可能であることが当該表示手段８にて表示される（Ｓ４）。その後、演出ボタン７による操作の有効状態が維持されているか否かを判別し（Ｓ５）、維持されている（即ち、演出ボタンが有効状態）である場合は、Ｓ３へ戻り、振動検出手段１２の無効状態が継続されるとともに、演出ボタン７の操作が可能であることが当該表示手段８にて表示され続ける。
【００３２】
また、Ｓ５にて演出ボタン７の有効時間が経過し、演出ボタン７による操作の有効状態が維持されていない（即ち、無効状態とされた）場合はＳ６へ進み、演出ボタン７の有効状態が終了後所定時間となったか否かが判定される。そして、演出ボタン７の有効状態終了後、所定時間であると判定されると、Ｓ７に進み、切替手段１７にて振動検出手段１２が有効状態に切り替えられる。その後、振動検出手段１２がオンであるか否かを判定し（Ｓ８）、オンである場合は、振動による不正行為があるとみなして報知手段による報知が行われる（Ｓ９）。上記一連の制御により、演出ボタン７の有効時間の開始前所定時間から終了後所定時間に亘り、切替手段１７にて振動検出手段１２を無効状態に切り替えることができる。
【００３３】
更に、演出ボタン７が押圧操作されたことを条件として、切替手段１７が振動検出手段１２を無効状態に切り替える場合の制御について図７のフローチャートを用いて説明する。表示手段８にて演出画像が表示された後（Ｓ１）、演出ボタン７がオン（当該演出ボタン７が押圧操作された状態）したか否かが判定され（Ｓ２）、演出ボタン７がオンの場合は、切替手段１７にて振動検出手段１２を無効状態に切り替える（Ｓ３）。
【００３４】
一方、Ｓ２にてオンでない（即ち、演出ボタン７が押圧操作されていない状態）と判定されると、切替手段１７にて振動検出手段１２を有効状態とした後（Ｓ４）、振動検出手段１２がオンであるか否かを判定し（Ｓ５）、オンである場合は、振動による不正行為があるとみなして報知手段による報知が行われる（Ｓ６）。上記一連の制御により、演出ボタン７の有効状態又は無効状態に拘わらず、演出ボタン７が押圧操作されたことを条件として、切替手段１７が振動検出手段１２を無効状態とすることができる。
【００３５】
尚、演出ボタンが押圧操作されたことを条件として振動検出手段１２を無効状態とする場合における他の実施形態について、図８のフローチャートを用いて説明する。特に、この場合、初期状態において振動検出手段１２が有効状態とされている。表示手段８にて演出画像が表示された後（Ｓ１）、振動検出手段１２がオンであるか否かを判定し（Ｓ２）、オンである場合は、演出ボタン７がオンしたか否かが判定される（Ｓ３）。
【００３６】
そして、演出ボタン７がオンしたと判定されると、Ｓ４へ進んで切替手段１７にて振動検出手段１２を無効状態に切り替えるとともに、演出ボタン７がオンしていないと判定されると、Ｓ５へ進み、振動検出手段１２の有効状態が維持された後、振動による不正行為があるとみなして報知手段による報知が行われる（Ｓ６）。上記一連の制御によっても、演出ボタン７の有効状態又は無効状態に拘わらず、演出ボタン７が押圧操作されたことを条件として、切替手段１７が振動検出手段１２を無効状態とすることができる。
【００３７】
次に、本発明に係る第２の実施形態について説明する。
本実施形態に係るパチンコ遊技機は、第２種と称されるパチンコ遊技機に適用されたもので、図９〜図１１に示すように、振動検出手段１２が配設された遊技機本体１と、遊技領域が形成された遊技盤２と、ガラス板４、ハンドル５、上皿６ａ、下皿６ｂ及びスピーカ１１を具備した前枠３とを主に有したものから成るとともに、図１１に示すように、主基板１３及びサブ基板１４を具備したものである。尚、第１の実施形態と同様の構成要素には、同一の符号を付し、その詳細な説明を省略する。
【００３８】
遊技盤２の遊技領域には、図９及び図１０に示すように、可変入賞装置１８、始動入賞口１９、大入賞口２０、特定入賞口２１などが形成されている。可変入賞装置１８には、始動入賞口１９への入賞により開閉される一対の可変翼１８ａが形成されており、ソレノイド２５の駆動によりクランク２６が動作すると、当該可変翼１８ａが軸Ｌを中心に開閉方向に回動し得るよう構成されている。可変翼１８ａが開状態とされると、遊技球が入賞し得る大入賞口２０が形成されることとなる。
【００３９】
また、可変入賞装置１８内には、大入賞口２０から入賞した遊技球を案内する傾斜樋２４が形成されており、該傾斜樋２４の先端には遊技球を下部の内部空間２８へ落下させ得る開口が形成されている。かかる開口には、大入賞口検出スイッチ２７が設けられており、遊技球の通過を検出し得るようになっている。従って、大入賞口検出スイッチ２７がオンすることにより、大入賞口２０へ入賞したことが検出される。
【００４０】
更に、内部空間２８には、遊技球を可変入賞装置１８の前面側へ導くためのステージ板２９が設けられており、このステージ板２９の先端側には遊技球の入賞が可能な特定入賞口２１、及び普通入賞口２２が形成されている。特定入賞口２１は、所謂Ｖゾーンと称されるもので、その両側に普通入賞口が一対形成されて成るとともに、遊技球の通過を検出する特定入賞口検出スイッチ３１が設けられている。
【００４１】
そして、特定入賞口２１に入賞したことを特定入賞口検出スイッチ３１が検出すると、大当たり状態を発生させ、可変入賞装置１８の可変翼１８ａが開放されているときに、大当たりの最終ラウンドまで達するよう、可変翼１８ａを連続的に開放させるようになっている。尚、普通入賞口２２にも、図示しない普通入賞口検出スイッチが配設されており、当該普通入賞口２２に入賞したことが検出されるとともに、特定入賞口検出スイッチ３１による検出がない状態にて多数の遊技球が賞球として獲得され得るよう構成されている。
【００４２】
尚、図１０中符号３０は内部空間２８内の遊技球の様子を目視し得る窓、符号３２は、特定入賞口２１に入賞した遊技球を可変入賞装置１８外部へ導くための流出口を示している。また、可変入賞口１８の正面側には、所定の図柄や数字等を表示し得る報知手段としての表示手段２３が形成されている。更に、始動入賞口１９内には、その入賞を検出し得る始動口検出スイッチ１９（図１１参照）が設けられている。
【００４３】
ここで、上記した始動入賞口検出スイッチ１９、特定入賞口検出スイッチ３１及び大入賞口検出スイッチ２７は、振動検出手段１２、振動報知ランプ１５、スピーカ１１及び表示手段２３と共にサブ基板１４と電気的接続がなされている。かかるサブ基板１４には、遊技内容に基づいて振動検出手段１２を有効状態又は無効状態に切り替えるための切替手段１７と、大入賞口２０または始動入賞口１９を遊技球が通過した時点からの経過時間を計測し得る振動検出有効タイマ３３とが形成されている。
【００４４】
そして、遊技球が始動入賞口１９又は大入賞口２０を通過した後、特定入賞口２１を通過するまで又は振動検出有効タイマ３３にて所定時間経過を測定するまでの間に限り、切替手段１７が振動検出手段１２を有効状態とするようになっている。尚、通常状態（遊技球が始動入賞口１９又は大入賞口２０を通過する前）においては、振動検出手段１２が無効状態とされている。
【００４５】
これにより、遊技球が始動入賞口１９又は大入賞口２０を通過した後、特定入賞口２１を通過するまで又は所定時間経過するまでの間（例えば、遊技球がステージ板２９上を転動している間など）に限り、振動検出手段１２を有効状態とするので、次ラウンドに移行させるべく遊技機本体１に対して外部から振動を付与して遊技球の軌跡を変化させ、特定入賞口２１に導くといった不正行為をより確実に検出することができる。
【００４６】
次に、上記実施形態に係るパチンコ遊技機における振動検出のための制御内容について、図１２及び図１３のフローチャートに基づいて説明する。まず、遊技球が大入賞口２０を通過した後、特定入賞口２１を通過するまで又は所定時間経過するまでの間に限り、振動検出手段１２を有効状態とする場合の制御内容につき、図１２のフローチャートを用いて説明する。始動入賞口１９への入賞があったか否かが判定され（Ｓ１）、当該始動入賞口１９への入賞が始動入賞口検出スイッチ１９にて検出されると、Ｓ２へ進み、大入賞口２０への入賞があったか否かが判定される（Ｓ２）。
【００４７】
当該大入賞口２０への入賞が大入賞口検出スイッチ２７にて検出されると、Ｓ３へ進んで振動検出有効タイマ３３が測定を開始するとともに、切替手段１７にて振動検出手段１２が有効状態とされる。その後、振動検出手段１２がオン（振動検出手段１２が振動を検出した状態）であるか否かを判定し（Ｓ４）、オンである場合は、振動検出有効タイマ３３で測定された時間が所定時間内か否かが判定される（Ｓ５）。
【００４８】
当該測定された時間が所定時間内である場合は、Ｓ６へ進み、特定入賞口２１への入賞前か否か（特定入賞口２１の通過前か否か）が判定される。そして、特定入賞口２１への入賞が特定入賞口検出スイッチ３１により検出されず、当該特定入賞口２１の通過前であると判定されると、振動による不正行為があるとみなし、報知手段による報知がなされる（Ｓ７）。かかる一連の制御により、遊技球が大入賞口２０を通過した後、特定入賞口２１を通過するまで又は所定時間経過するまでの間に限り、振動検出手段１２を有効状態とすることができる。
【００４９】
次に、遊技球が始動入賞口１９を通過した後、特定入賞口２１を通過するまで又は所定時間経過するまでの間に限り、振動検出手段１２を有効状態とする場合の制御内容につき、図１３のフローチャートを用いて説明する。始動入賞口１９への入賞があったか否かが判定され（Ｓ１）、当該始動入賞口１９への入賞が始動入賞口検出スイッチ１９にて検出されると、Ｓ２へ進み、振動検出有効タイマ３３が測定を開始するとともに、切替手段１７にて振動検出手段１２が有効状態とされる。
【００５０】
その後、振動検出手段１２がオンであるか否かを判定し（Ｓ３）、オンである場合は、振動検出有効タイマ３３で測定された時間が所定時間内か否かが判定される（Ｓ４）。当該測定された時間が所定時間内である場合は、Ｓ５へ進み、特定入賞口２１への入賞前か否か（特定入賞口２１の通過前か否か）が判定される。そして、特定入賞口２１への入賞が特定入賞口検出スイッチ３１により検出されず、当該特定入賞口２１の通過前であると判定されると、振動による不正行為があるとみなし、報知手段による報知がなされる（Ｓ７）。かかる一連の制御により、遊技球が始動入賞口１９を通過した後、特定入賞口２１を通過するまで又は所定時間経過するまでの間に限り、振動検出手段１２を有効状態とすることができる。
【００５１】
上記した２つの実施形態によれば、遊技内容に基づいて振動検出手段１２を有効状態又は無効状態に切り替えることができるので、例えば不正行為がなされ易い時間のみ有効状態、或いは不正行為がなされ難い時間のみ無効状態とすることができ、不正な行為に起因しない振動の検出を抑制することができる。
【００５２】
以上、実施形態について説明したが、本発明はこれらに限定されず、例えば第２の実施形態において、第１の実施形態と同様の遊技者検知手段１５を具備させ、振動検出手段１２が有効状態であり、且つ、遊技者検知手段による遊技者の検知がある場合に限り、報知手段による報知がなされるよう構成してもよい。また、遊技者検知手段１５に代えて、遊技機本体１前の遊技者の有無を検知し得る他の手段としてもよく、或いは当該遊技者検知手段１５を配設しないもの（報知手段による報知が遊技者の有無を条件としないもの）としてもよい。
【００５３】
更に、遊技内容に基づき、不正行為による振動が付与され易い時間において振動検出手段１２を有効状態とし、または不正行為による振動が付与され難い時間において振動検出手段１２を無効状態とするものであれば、他の形態のものであってもよい。また更に、本実施形態においてはパチンコ遊技機に適用されているが、パチスロ遊技機など他の遊技機に適用することができる。
【００５４】
加えて、前記した第２の実施形態においては、特定入賞口２１に入賞して一旦大当たりが発生すれば、最終ラウンドに達するまで可変入賞装置１８の可変翼１８ａを開放するよう構成しているが、これに代えて、可変翼１８ａが開放されている状態で特定入賞口２１に遊技球が入賞したとき、大入賞口２０に遊技球が再度所定個数入賞するか、或いは制限時間内に特定入賞口２１に遊技球が再度入賞するかの何れかを条件として最終ラウンドに達するよう可変翼１８ａを継続的に開放するようにしてもよい。つまり、特定入賞口２１に所謂継続入賞口としての機能を持たせるように構成してもよいのである。
【産業上の利用可能性】
【００５５】
遊技内容に基づいて振動検出手段を有効状態又は無効状態に切り替える切換手段を具備した遊技機であれば、外観形状が異なるもの或いは他の機能が付加されたもの等にも適用することができる。
【図面の簡単な説明】
【００５６】
【図１】本発明の第１の実施形態に係るパチンコ遊技機を示す外観図
【図２】同パチンコ遊技機の下部を示す拡大図
【図３】同パチンコ遊技機における遊技盤の背面を示す模式図
【図４】同パチンコ遊技機における主基板及びサブ基板と他の構成要素との接続状態を示すブロック図
【図５】同パチンコ遊技機における振動検出のための制御内容（演出ボタン７の有効時間のみ振動検出手段１２を無効状態とする場合）を示すフローチャート
【図６】同パチンコ遊技機における振動検出のための制御内容（演出ボタン７の有効時間の開始前所定時間から終了後所定時間に亘り、切替手段１７にて振動検出手段１２を無効状態に切り替える場合）を示すフローチャート
【図７】同パチンコ遊技機における振動検出のための制御内容（演出ボタン７が押圧操作されたことを条件として、切替手段１７が振動検出手段１２を無効状態に切り替える場合）を示すフローチャート
【図８】同パチンコ遊技機における振動検出のための制御内容（演出ボタン７が押圧操作されたことを条件として、切替手段１７が振動検出手段１２を無効状態に切り替える他の場合）を示すフローチャート
【図９】本発明の第２の実施形態に係るパチンコ遊技機を示す外観図
【図１０】同パチンコ遊技機の遊技盤を示す縦断面図
【図１１】同パチンコ遊技機における主基板及びサブ基板と他の構成要素との接続状態を示すブロック図
【図１２】同パチンコ遊技機における振動検出のための制御内容（遊技球が大入賞口２０を通過した後、特定入賞口２１を通過するまで又は所定時間経過するまでの間に限り、振動検出手段１２を有効状態とする場合）を示すフローチャート
【図１３】同パチンコ遊技機における振動検出のための制御内容（遊技球が始動入賞口１９を通過した後、特定入賞口２１を通過するまで又は所定時間経過するまでの間に限り、振動検出手段１２を有効状態とする場合）を示すフローチャート
【符号の説明】
【００５７】
１    遊技機本体
２    遊技盤（遊技領域）
３    前枠
４    ガラス板
５    ハンドル
６ａ  上皿
６ｂ  下皿
７    演出ボタン（操作手段）
８    表示手段
９    始動口
１０  大入賞口
１１  スピーカ
１２  振動検出手段
１３  主基板
１４  サブ基板
１５  振動報知ランプ
１６  遊技者検知手段
１７  切替手段
１８  可変入賞装置
１９  始動入賞口
２０  大入賞口
２１  特定入賞口
２２  普通入賞口
２３  表示手段
２４  傾斜樋
２５  ソレノイド
２６  クランク
２７  大入賞口検出スイッチ
２８  内部空間
２９  ステージ板
３０  窓
３１  特定入賞口検出スイッチ
３２  流出口
３３  振動検出有効タイマ
【図１】
2007152038.tif 000003
【図２】
2007152038.tif 000004
【図３】
2007152038.tif 000005
【図４】
2007152038.tif 000006
【図５】
2007152038.tif 000007
【図６】
2007152038.tif 000008
【図７】
2007152038.tif 000009
【図８】
2007152038.tif 000010
【図９】
2007152038.tif 000011
【図１０】
2007152038.tif 000012
【図１１】
2007152038.tif 000013
【図１２】
2007152038.tif 000014
【図１３】
2007152038.tif 000015